(57)【特許請求の範囲】
【請求項１】
固定側筐体と、該固定側筐体の端のヒンジと、該ヒンジによって支持された可動側筐体とを有する折りたたみ型携帯電話機において、
上記固定側筐体と上記可動側筐体とのそれぞれの向き合う面が、短手方向において凸の湾曲面であることにより、上記可動側筐体が折りたたまれた状態において、両側の側面の該固定側筐体と上記可動側筐体との間に、ユーザの手の指先が入る大きさのこじあけ用凹部を有する構成としたことを特徴とする折りたたみ型携帯電話機。
【請求項２】
固定側筐体と、該固定側筐体の端のヒンジと、該ヒンジによって支持された可動側筐体とを有する折りたたみ型携帯電話機において、
上記固定側筐体と上記可動側筐体とのそれぞれの向き合う面が、短手方向において凸の湾曲面であり、該可動側筐体又は該固定側筐体の何れかが略円弧であることによって、上記可動側筐体が折りたたまれた状態において、両側の側面の該固定側筐体と上記可動側筐体との間に、ユーザの手の指先が入る大きさのこじあけ用凹部が形成される構成としたことを特徴とする折りたたみ型携帯電話機。
【請求項３】
固定側筐体と、該固定側筐体の端のヒンジと、該ヒンジによって支持された可動側筐体とを有する折りたたみ型携帯電話機において、
上記固定側筐体と上記可動側筐体とのそれぞれの向き合う面が、短手方向において凸の湾曲面であり、上記可動側筐体及び該固定側筐体は、開いた状態で略円弧を形成するように湾曲しており、折りたたまれた状態において、該可動側筐体と該固定側筐体との間に、該可動側筐体自身の湾曲と該該固定側筐体自身の湾曲とによって、ユーザの手の指先が入る大きさのこじあけ用凹部が形成される構成としたことを特徴とする折りたたみ型携帯電話機。
【請求項４】
固定側筐体と、該固定側筐体の端のヒンジと、該ヒンジによって支持された可動側筐体とを有する折りたたみ型携帯電話機において、
上記固定側筐体と上記可動側筐体とのそれぞれの向き合う面が、短手方向において凸の湾曲面であり、上記可動側筐体及び該固定側筐体は、開いた状態で略円弧を形成するように湾曲しており、折りたたまれた状態において、該可動側筐体と該固定側筐体との間に、該可動側筐体自身の湾曲と該該固定側筐体自身の湾曲とによって、ユーザの手の指先が入る大きさのこじあけ用凹部が形成してあり、且つ、こじあけられるとロックが解除される状態で、該可動側筐体を該固定側筐体に対して折りたたまれた状態にロックするロック機構と、該可動側筐体を開く方向に付勢するばねとを有する構成としたことを特徴とする折りたたみ型携帯電話機。
【発明の詳細な説明】
【技術分野】
【０００１】
本発明は折りたたみ型携帯電話機に係り、特に、携帯時には折りたたまれており、通話をする際に開かれる構造の折りたたみ型携帯電話機に関する。
【０００２】
携帯電話機は、構造的には、折りたたみ可能な構造である折りたたみ型携帯電話機と、折りたたみ構造でない所謂棒タイプの携帯電話機に分類される。
【０００３】
折りたたみ型携帯電話機は、折り畳まれた状態では、棒タイプの携帯電話機に比べて相当に小型となるため、携帯に便利である。しかし、この折りたたみ型携帯電話機は、棒タイプの携帯電話機では行なわれない折りたたむ動作及び開く動作が通話の都度行なわれる。よって、折りたたむ操作及び開く操作がし易い構造として、操作性の向上を図ることが望ましい。
【背景技術】
【０００４】
図１（Ａ），（Ｂ）は従来の一例の自動的に開かれる構造の携帯電話機１０を示す。この携帯電話機１０は、操作キー側筐体１１と、表示部側筐体１２と、両者を連結するヒンジ１３とを有する。操作キー側筐体１１は、操作キー１４及びマイク１５等を有する。表示部側筐体１２は、表示部としての液晶パネル１６、アンテナ１７及びスピーカ１８等を有する。ヒンジ１３内には、ヒンジモジュール１９及びオイルダンパ２０が組み込まれている。操作キー側筐体１１の一の側面１１ａのうちヒンジ１３の近くに、釦２１が設けてある。
【０００５】
通常は、携帯電話機１０は、図１（Ａ）に示すように、表示部側筐体１２が閉じられてロック爪２２によって操作キー側筐体１１に対して結合された閉じた状態にある。
【０００６】
通話を行なう際には、ユーザが閉じた状態の折りたたみ型携帯電話機１０をその操作キー側筐体１１を左手３０のひらに置いて左手３０で掴み、この掴んでいる左手３０の親指３１で釦２１を押す。この操作をすると、回動レバー２３を介してロック爪２２が移動されて後退し、表示部側筐体１２に対するロックが解除され、ヒンジモジュール１９内のばね１９ａによって表示部側筐体１２が操作キー側筐体１１に対して矢印Ａ方向に回動されて、図１（Ｂ）に示すように、約１４５度開かれる。オイルダンパ２０によって、表示部側筐体１２が開く動作はゆっくり行なわれる。開いた状態で、ユーザは、アンテナ１７を伸ばし、携帯電話機１０を顔に近づけスピーカ１８を耳に当てて通話を行なう。
【０００７】
通話を完了した後には、ユーザは手を動かして、アンテナ１７を収め、表示部側筐体１２を矢印Ｂで示す閉じる方向に図１（Ａ）に示す位置まで回動させ、表示部側筐体１２がロック爪２２に係止されて閉じた状態にさせる。
【発明の開示】
【発明が解決しようとする課題】
【０００８】
ユーザが閉じた状態の折りたたみ型携帯電話機１０のロックは、釦２１を押すことにより、又は、表示部側筐体１２を操作キー側筐体１１に対して強制的に少し回動させることによって解除される。釦２１を押す操作は、折りたたみ型携帯電話機１０を掴んでいる左手３０の親指３１で釦２１を押すことによって行なわれる。しかし、ロックが解除される状態まで、表示部側筐体１２を操作キー側筐体１１に対して強制的に回動させる操作は、両手を使用しなければ行なうことはできなかった。このため、携帯電話機１０は操作性が十分でなかった。
【０００９】
そこで、本発明は、上記課題を解決した折りたたみ型携帯電話機を提供することを目的とする。
【課題を解決するための手段】
【００１０】
開示の技術は、固定側筐体と、該固定側筐体の端のヒンジと、該ヒンジによって支持された可動側筐体とを有する折りたたみ型携帯電話機において、上記固定側筐体と上記可動側筐体とのそれぞれの向き合う面が、短手方向において凸の湾曲面であることにより、上記可動側筐体が折りたたまれた状態において、両側の側面の該固定側筐体と上記可動側筐体との間に、ユーザの手の指先が入る大きさのこじあけ用凹部を有する構成としたものである。
【発明の効果】
【００１１】
ユーザが片方の手で、折りたたまれている折りたたみ型携帯電話機を持ったままで、この手の指先を固定側筐体と可動側筐体との間のこじあけ用凹部に入れて、こじ開けるような操作をすることによって、可動側筐体を開く方向に回動させることが可能である。よって、ユーザは片方の手だけで、折りたたみ型携帯電話機を開くことが出来、操作性の向上を図ることが可能である。
【００１２】
こじあけ用凹部は、可動側筐体及び固定側筐体のその長手方向に沿う縁の部分をテーパにすることなく形成される。よって、可動側筐体及び固定側筐体の容積を少しも狭くすることなく、こじあけ用凹部を形成することが可能である。
【００１３】
可動側筐体及び固定側筐体が、開いた状態で略円弧を形成するように湾曲してある場合には、ユーザの顔のうち耳から口にかけた部分の輪郭に略沿う状態となり、折りたたみ型携帯電話機のユーザの顔への当たりが分散され、当たりが弱くなり、よって、長い時間通話をしていても、ユーザの顔のうち折りたたみ型携帯電話機が当たっていた場所が赤くなりにくくなる。また、当たりが弱いため、折りたたみ型携帯電話機のうちユーザの顔が当たっていた場所から汗等が折りたたみ型携帯電話機の内部に侵入しにくくなる。
【００１４】
こじあけ用凹部を、可動側筐体及び固定側筐体を使用感が良くなるように湾曲させたことによって形成した場合には、可動側筐体及び固定側筐体のその長手方向に沿う縁の部分をテーパにすることなく形成される。よって、可動側筐体及び固定側筐体の容積を少しも狭くすることなく、こじあけ用凹部を形成することが可能である。
【００１５】
また、ロック機構を設けた場合には、通話を行なわないときには、可動側筐体を閉じた位置に保持することが可能となる。また、ばねを設けた場合には、通話を行なう際にロック機構を解除させると、可動側筐体を開いた状態にまで自動的に開かせることが可能である。
【発明を実施するための最良の形態】
【００１６】
次に、発明を実施するための最良の形態について説明する。
【実施例１】
【００１７】
図２（Ａ），（Ｂ）及び図３（Ａ），（Ｂ），（Ｃ），（Ｄ）は、本発明の第１実施例になるロック解除釦を押すと自動的に開かれる構造の折りたたみ型携帯電話機５０を示す。図２（Ａ）及び図３（Ａ），（Ｂ）は折りたたまれている携帯時の状態を示す。図３（Ｃ）は開かれた通話時の状態を示す。
【００１８】
携帯電話機５０は、固定側筐体である操作キー側筐体５１と、可動側筐体である表示部側筐体５２と、互いに回動するように操作キー側筐体５１と表示部側筐体５２とを連結するヒンジ５３とを有する。Ｘ１，Ｘ２はヒンジ５３の軸線方向、Ｙ１，Ｙ２は携帯電話機５０の長手方向、Ｚ１，Ｚ２は携帯電話機５０の厚さ方向である。矢印Ａは、表示部側筐体５２が操作キー側筐体５１に対して開く方向である。矢印Ｂは、表示部側筐体５２が操作キー側筐体５１に対して折りたたまれる方向である。
【００１９】
操作キー側筐体５１は、操作キー５５、マイク５６、及びロック解除釦５７等を有する。図４に示すように、操作キー側筐体５１は、筐体ハーフ６０、６１よりなる箱体であり、内部に、プリント基板モジュール６４、ロック爪６２及び回動レバー６３等が収まっている。操作キー側筐体５１の下面側にバッテリ６５が装着してある。
【００２０】
表示部側筐体５２は、液晶パネル７０、アンテナ７１及びスピーカ７２等を有する。図４に示すように、表示部側筐体５２は、筐体ハーフ７３、７４よりなる箱体であり、内部に、プリント基板モジュール７５等が収まっている。プリント基板モジュール６４とプリント基板モジュール７５との間は、フレキシブルケーブル７６によって接続されている。フレキシブルケーブル７６はヒンジ５３の内部でループを形成しており、螺旋部７６ａが形成されている。
【００２１】
ヒンジ５３内には、ヒンジモジュール８０と、ダンパモジュール８２とが組み込まれている。ヒンジモジュール８０の内部には、ねじりコイルばね８１が組み込まれている。このねじりコイルばね８１は表示部側筐体５２を開く作用をするものであり、強いばね力を有する。
【００２２】
ダンパモジュール８２は、図５に示すように、オイルダンパユニット９０と一方向クラッチユニット１００とが同軸的に結合された構成である。通常は、携帯電話機５０は、図２（Ａ）及び図３（Ａ）に示すように、表示部側筐体５２が閉じられて、図３（Ａ）に拡大して示すロック機構６６によって操作キー側筐体５１に対して結合された閉じた状態にある。ロック機構６６は、表示部側筐体５２の先端側の凹部７７がロック爪６２に嵌合している構成である。
【００２３】
通話を行なう際には、ユーザが閉じた状態の折りたたみ型携帯電話機５０をその操作キー側筐体５１を左手３０のひらに置いて左手３０で掴み、この掴んでいる左手３０の親指３１でロック解除釦５７を押す。この操作をすると、回動レバー６３を介してロック爪６２が移動されて後退し、表示部側筐体５２に対するロックが解除され、ヒンジモジュール８０内のねじりコイルばね８１によって表示部側筐体５２が操作キー側筐体５１に対して矢印Ａ方向に回動されて、図２（Ｂ）及び図３（Ｃ）に示すように、約１４５度開かれる。開いた状態で、ユーザは、アンテナ７１を伸ばし、携帯電話機５０を顔に近づけスピーカ７２を耳に当てて通話を行なう。
【００２４】
通話を完了した後には、ユーザは、手でもって、アンテナ７１を収め、表示部側筐体５２を矢印Ｂで示す閉じる方向に図２（Ａ）及び図３（Ａ）に示す位置まで回動させ、表示部側筐体５２がロック機構６６によってロックされて閉じた状態にさせる。次に、ダンパモジュール８２について説明する。
【００２５】
オイルダンパユニット９０は、筒状のハウジング９１とハウジング９１よりＸ１方向に突き出た羽根車軸部材９２とを有し、ハウジング９１内にはオイルが充填してある構成である。ハウジング９１が羽根車軸部材９２に対して回転するときに、オイルが攪拌され、ハウジング９１の回転に対して粘性的な抵抗力を発生する。
【００２６】
一方向クラッチユニット１００は、図５及び図６（Ａ）に示すように、ハウジング１０１と、ハウジング１０１内に組み込まれているクラッチコイルばね１０２と、クラッチコイルばね１０２の内側に挿入されてハウジング１０１内に組み込まれているフランジ付きの軸部材１０３とを有する。ワッシャ１０４がハウジング１０１の開口に取り付けてあり、軸部材１０３がハウジング１０１から外れないようにしてある。
【００２７】
軸部材１０３は、Ｘ１方向端の凸部１０３ａをハウジング１０１の奥部の中心穴１０１ｂに嵌合して支持され、Ｘ２方向端のフランジ部１０３ｂをハウジング１０１の開口付近に支持されて、ハウジング１０１内の中心に回動可能に支持されている。クラッチコイルばね１０２は、密巻きであり、軸部材１０３の径Ｄ１と略同じである内径Ｄ２を有する。クラッチコイルばね１０２は、Ｘ１方向端に固定用の曲げ部１０２ａを有し、Ｘ２方向端に自由端部１０２ｂを有する。クラッチコイルばね１０２の巻きの方向は、矢印Ｘ１方向に見て、固定用の曲げ部１０２ａから自由端部１０２ｂに向かって反時計方向（Ａ方向）である。クラッチコイルばね１０２は、固定用の曲げ部１０２ａをハウジング１０１の奥の孔１０１ａに嵌合させて固定されて取り付けてある。
【００２８】
軸部材１０３とクラッチコイルばね１０２とは、図６（Ａ）に示すように、軸部材１０３の周面とクラッチコイルばね１０２の内周面とが接触しており、自由端部１０２ｂは軸部材１０３の周面に単に当たっている関係にある。即ち、軸部材１０３の周面とクラッチコイルばね１０２の内周面との間の摩擦力μＦによって、軸部材１０３を回動させた場合に、クラッチコイルばね１０２が捩じられる関係にある。
【００２９】
上記構成の一方向クラッチユニット１００は、部品点数が少なく、構成が簡単であり、小さい径寸法で構成出来、よって、携帯電話機５０のヒンジ５３の内部に組み込むのに好適である。図５を参照するに、角柱状の羽根車軸部材９２が軸部材１０３の四角形の穴１０３ｃに嵌合してあり、羽根車軸部材９２と軸部材１０３とは一体に回動される。
【００３０】
また、ダンパモジュール８２は、オイルダンパユニット９０が表示部側筐体５２に固定され、一方向クラッチユニット１００が操作キー側筐体５１に固定された状態でヒンジ５３内に組み込まれている。オイルダンパユニット９０の筒状のハウジング９１が表示部側筐体５２に固定してある。一方向クラッチユニット１００のハウジング１０１が操作キー側筐体５１に固定してある。
【００３１】
次に、折りたたみ型携帯電話機５０を開らくときと折りたたむときの動作を、特にヒンジモジュール８１及びダンパモジュール８２の動作に注目して説明する。
【００３２】
表示部側筐体５２がねじりコイルばね８１によって矢印Ａで示す開く方向に回動されるときには、オイルダンパユニット９０が矢印Ａ方向に回動して、羽根車軸部材９２及び軸部材１０３が矢印Ａ方向に回動を開始する。しかし、図６（Ｂ）に示すように、軸部材１０３がＡ方向に回動すると、上記摩擦力μＦによって引きずられてクラッチコイルばね１０２がＡ方向に回動し、一端を固定されているクラッチコイルばね１０２は、内径Ｄ２が縮小される方向に変形して、軸部材１０３を締めつける。よって、軸部材１０３の回動がクラッチコイルばね１０２を介してハウジング１０１に伝達される状態となる。即ち、一方向クラッチユニット１００は伝達経路がつながった連結状態となる。
【００３３】
ここで、ハウジング１０１が操作キー側筐体５１に固定してあるため、軸部材１０３の回動が拘束される。よって、羽根車軸部材９２の回動も拘束され、オイルダンパユニット９０は、羽根車軸部材９２が回転しない状態でハウジング９１がオイルを攪拌させつつ、オイルの粘性に抗しつつ回動する状態となって、ダンパ機能を発揮する状態となる。
【００３４】
よって、表示部側筐体５２が開く動作はゆっくり行なわれる。
【００３５】
通話が完了して、ユーザが、手でもって表示部側筐体５２を矢印Ｂで示す閉じる方向に回動させる場合には、オイルダンパユニット９０が矢印Ｂに回動して、羽根車軸部材９２及び軸部材１０３が矢印Ｂに回動を開始する。軸部材１０３がＢ方向に回動すると、上記摩擦力μＦによって引きずられてクラッチコイルばね１０２がＢ方向に回動し、一端を固定されているクラッチコイルばね１０２は内径Ｄ２が拡大される方向に変形して、軸部材１０３に対して緩くなる。よって、軸部材１０３の回動がクラッチコイルばね１０２には伝達されなくなって、一方向クラッチユニット１００は伝達経路が断たれた非連結状態となる。軸部材１０３は自由に回動出来る状態となる。
【００３６】
よって、オイルダンパユニット９０は、羽根車軸部材９２がハウジング９１と共に回動する状態となり、ダンパとして働かない状態となる。
【００３７】
このため、表示部側筐体５２を矢印Ｂで示す閉じる方向に速い速度で回動させて、携帯電話機５０の折りたたみを急いで素早く行なうことが出来る。また、表示部側筐体５２を矢印Ｂで示す閉じる方向に回動させる操作を軽い力で行なうことが出来る。よって、携帯電話機５０は優れた操作性を有する。
【００３８】
次に、携帯電話機５０の外観について説明する。
【００３９】
図３（Ａ）及び図２（Ａ）に示すように、Ｙ１−Ｙ２方向上、操作キー側筐体５１は、半径Ｒ１でＺ２方向に凸の略円弧形状を有し、表示部側筐体５２は、半径Ｒ２でＺ１方向に凸の略円弧形状を有する。半径Ｒ１と半径Ｒ２とは略等しい。よって、図３（Ｃ）及び図２（Ｂ）に示すように、開いた状態で、携帯電話機５０の内側の面は、その長手方向上、大略、半径をＲ３とする略円弧形状となって湾曲している。
【００４０】
また、図３（Ｄ）に示すように、Ｘ１−Ｘ２方向上、操作キー側筐体５１の操作キー５５が配されている面１１０は、半径をＲ１１とするＺ１方向に凸の湾曲面としてある。表示部側筐体５２の液晶パネル７０が配されている面１１１は、半径をＲ１２とするＺ２方向に凸の湾曲面としてある。
【００４１】
特に、携帯電話機５０は、図３（Ｃ）及び図２（Ｂ）に示すように、開いた状態で略円弧形状となって湾曲しているため、ユーザの顔のうち耳から口にかけた部分の輪郭に略沿う状態となり、携帯電話機５０のユーザの顔への当たりが分散され、当たりが弱くなり、使用感が良くなる。当たりが弱いことによって、長い時間通話をしていても、ユーザの顔のうち折りたたみ型携帯電話機が当たっていた場所が赤くなりにくくなる。また、当たりが弱いため、携帯電話機のうちユーザの顔が当たっていた場所から汗等が携帯電話機５０の内部に侵入しにくい。また、携帯電話機５０の外側の面も湾曲しているため、手のひらにもフィットし、使用感が良い。
【００４２】
上記のように使用感を良くした構成とすることによって、携帯電話機５０を折りたたんだ状態において、Ｘ２方向側の側面及びＸ１方向側の側面には、操作キー側筐体５１と表示部側筐体５２との間に、こじあけ用凹部１１２、１１３が形成される。こじあけ用凹部１１２、１１３は、入口側のＺ１−Ｚ２方向の寸法ａが８±３ｍｍ、即ち、５〜１１ｍｍであり、Ｘ１−Ｘ２方向上、Ｖ字形状を有し、指先が入る大きさである。
【００４３】
次に、ロック解除釦５７を押さないで折りたたみ型携帯電話機５０を開らくようにした構成、及び操作について説明する。
【００４４】
この構成は、次の二つの構造によって構成される。
【００４５】
＜１＞ 前記のロック機構６６の構成。
【００４６】
ロック爪６２は、先端にテーパ形状部６２ａを有し、且つばね６７によって付勢されている。よって、ロック機構６６は、表示部側筐体５２に開く方向の力を加えると、ロック爪６２がテーパ形状部６２ａの傾斜面を押されて後退されて、ロックが解除される構成である。
【００４７】
＜２＞ 操作キー側筐体５１と表示部側筐体５２との間に、指先が入る大きさのこじあけ用凹部１１２、１１３が存在する構成。
【００４８】
ロック解除釦５７を押さないで折りたたみ型携帯電話機５０を開らく場合には、図２（Ａ）及び図３（Ｄ）に示すように、ユーザが閉じた状態の折りたたみ型携帯電話機５０をその操作キー側筐体５１を左手３０のひらに置いて左手３０で掴み、この掴んでいる左手３０の親指３１の指先をこじあけ用凹部１１２に、ひとさし指３２及びなか指３３等の指先をこじあけ用凹部１１３に、差し込んで、操作キー側筐体５１と表示部側筐体５２との間をこじ開けるように動かす。この操作によって、表示部側筐体５２が操作キー側筐体５１から離れる方向、即ち矢印Ｃ方向に付勢されて少し強制的に回動される。
【００４９】
表示部側筐体５２は、ロック爪６２を強制的に後退させつつ回動され、ロック機構６６は遂にはロックが解除された状態となる。ここで、図２（Ａ）に示すように折りたたまれている状態で、こじあけ用凹部１１２の入口側は、Ｚ１−Ｚ２方向の寸法ａが、Ｙ１−Ｙ２方向上、中央部で大きく、Ｙ２方向にずれるにつれて徐々に狭くなる形状を有する。中央部の寸法ａは、大きいサイズの親指でも入る大きさである。よって、ユーザによって親指３１のサイズに個人差があるけれども、親指３１を中央部でこじあけ用凹部１１２の入口側に入れ、親指３１をＹ２方向に好ましい位置までスライドさせ、この位置で親指３１をこじ開けるように動かすことによって操作キー側筐体５１と表示部側筐体５２との間をこじ開けることが可能である。即ち、親指のサイズが小さいユーザも親指のサイズが大きいユーザも、操作キー側筐体５１と表示部側筐体５２との間をこじ開けることが可能である。
【００５０】
表示部側筐体５２がロック機構６６のロックが解除される状態まで回動されると、表示部側筐体５２はそれ以後はヒンジモジュール８０内のばね８１によって矢印Ａ方向に回動され、携帯電話機５０は図２（Ｂ）に示す開いた状態となる。上記のように、ロックが解除される状態まで表示部側筐体５２を操作キー側筐体５１に対して強制的に回動させる操作は、両手を使用せずに、片手で行なうことが可能となり、携帯電話機５０は優れた操作性を有する。
【実施例２】
【００５１】
図７（Ａ），（Ｂ）は、本発明の第２実施例になるロック解除釦を押すと自動的に開かれる構造の折りたたみ型携帯電話機５０Ａを示す。図８はヒンジ５３Ａの内部の構造を示す。携帯電話機５０Ａは、ロック機構及びこじあけ用凹部を除いて、図２及び図３の携帯電話機５０と実質的に同じ構成であるため、対応する部分には添字Ａを付した同じ符号を付して、その説明は省略する。
【００５２】
携帯電話機５０Ａは、操作キー側筐体５１Ａと、表示部側筐体５２Ａと、互いに回動するように操作キー側筐体５１Ａと表示部側筐体５２Ａとを連結するヒンジ５３Ａとを有する。ヒンジ５３Ａ内には、ダンパモジュール８２Ａが組み込んである。図８に示すように、ヒンジモジュール８０Ａはロック機構１２０を有する。ロック機構１２０は、操作キー側筐体５１Ａに固定してある軸部材１２１と、表示部側筐体５２Ａに固定してあるカム部材１２２とを有する。カム部材１２２の台形状のロック爪１２２ａが軸部材１２１の凹部１２１ａに嵌合した状態で、ロック状態にある。ロック機構１２０はヒンジ５３Ａの内部に設けてある。
【００５３】
図７（Ａ）の状態でロック解除釦５７Ａを押す操作を行なうと、押しピン１２３がカム部材１２２をばね１２４に抗してＸ１方向に押し退け、ロック爪１２２ａが凹部１２１ａから抜け出して、ロックが解除される。
【００５４】
操作キー側筐体５１Ａの面１１０ＡのＸ１−Ｘ２方向の両端部には、円弧状の凹面１３０、１３１が形成してある。表示部側筐体５２Ａの面１１１ＡのＸ１−Ｘ２方向の両端部には、円弧状の凹面１３２、１３３が形成してある。図７（Ａ）に示す折りたたまれた状態で、操作キー側筐体５１Ａと表示部側筐体５２Ａとの間には、こじあけ用凹部１１２Ａ、１１３Ａが形成される。こじあけ用凹部１１２Ａ、１１３Ａは、入口側のＺ１−Ｚ２方向の寸法ａＡが５〜１１ｍｍであり、指先が入る大きさであって、Ｘ１−Ｘ２方向上、Ｕ字形状を有する。
【００５５】
図７（Ａ）に示すように、ユーザが閉じた状態の折りたたみ型携帯電話機５０Ａをその操作キー側筐体５１Ａを左手３０のひらに置いて左手３０で掴み、この掴んでいる左手３０の親指３１の指先をこじあけ用凹部１１２Ａに、ひとさし指３２及びなか指３３の指先をこじあけ用凹部１１３Ａに、差し込んで、操作キー側筐体５１Ａと表示部側筐体５２Ａとの間をこじ開けるように動かす。この操作によって、表示部側筐体５２Ａが操作キー側筐体５１Ａから離れる方向に付勢されて少し強制的に回動される。このときに、台形状のロック爪１２２ａがその斜面を凹部１２１ａの縁に案内されて凹部１２１ａから強制的に抜け出して、ロックが解除される。それ以後は、表示部側筐体５２Ａは、ヒンジモジュール８０Ａ内のばね８１Ａによって矢印Ａ方向に回動され、携帯電話機５０Ａは図７（Ｂ）に示す開いた状態となる。
【実施例３】
【００５６】
図９（Ａ）は、発明の第３実施例になる折りたたみ型携帯電話機５０Ｂを示す。図９（Ｂ）は図９（Ａ）中、Ｂ−Ｂ線に沿う断面である。
【００５７】
携帯電話機５０Ｂは、操作キー側筐体５１Ｂと、表示部側筐体５２Ｂと、互いに回動するように操作キー側筐体５１Ｂと表示部側筐体５２Ｂとを連結するヒンジ５３Ｂとを有する。
【００５８】
また、図９（Ｂ）に示すように、Ｘ１−Ｘ２方向上、操作キー側筐体５１Ｂの操作キーが配されている面１１０Ｂは、半径をＲ２１とするＺ１方向に凸の湾曲面としてある。表示部側筐体５２Ｂの液晶パネルが配されている面１１１Ｂは、半径をＲ２２とするＺ２方向に凸の湾曲面としてある。このように面１１０Ｂ、１１１Ｂを湾曲面としたことによって、折りたたんだ状態において、Ｘ２方向側の側面及びＸ１方向側の側面には、操作キー側筐体５１Ｂと表示部側筐体５２Ｂとの間に、こじあけ用凹部１１２Ｂ、１１３Ｂが形成される。こじあけ用凹部１１２Ｂ、１１３Ｂは、入口側のＺ１−Ｚ２方向の寸法ａＢが５〜１１ｍｍで、深さが５ｍｍ以上であり、指先が入る大きさであって、Ｘ１−Ｘ２方向上、Ｖ字形状を有する。
【００５９】
前記と同じく、このこじあけ用凹部１１２Ｂ、１１３Ｂを利用して、表示部側筐体５２Ｂが操作キー側筐体５１Ｂから離れる方向に付勢されて少し強制的に回動される。
【００６０】
なお、発明の折りたたみ型携帯電話機は、上記実施例に限定されるものではなく、手動で開く構成のものでもよい。また、指の先でこじあけるためこじあけ用凹部は、表示部側筐体及び操作キー側筐体のうち一方だけに斜面又は円弧面を形成することによって形成することも出来る。また、オイルダンパモジュールを、オイルダンパユニットを操作キー側筐体に固定し、一方向クラッチユニットを表示部側筐体に固定した構成にも出来る。また、独立しているオイルダンパユニットと一方向クラッチユニットとを別個に組み付け、この状態で、オイルダンパユニットと一方向クラッチユニットとを連結した構成としてもよい。
【図面の簡単な説明】
【００６１】
【図１】従来の折りたたみ型携帯電話機を示す図である。
【図２】本発明の第１実施例になる折りたたみ型携帯電話機を示す図である。
【図３】図２の折りたたみ型携帯電話機を示す図である。
【図４】図２の折りたたみ型携帯電話機の分解斜視図である。
【図５】ダンパモジュールを示す図である。
【図６】一方向クラッチユニットの動作を示す図である。
【図７】本発明の第２実施例になる折りたたみ型携帯電話機を示す図である。
【図８】図７の携帯電話機のヒンジの構造を示す図である。
【図９】本発明の第３実施例になる折りたたみ型携帯電話機を示す図である。
【符号の説明】
【００６２】
５０，５０Ａ，５０Ｂ  折りたたみ型携帯電話機
５１  操作キー側筐体
５２  表示部側筐体
５３  ヒンジ
６６  ロック機構
８２  ダンパモジュール
９０  オイルダンパユニット
１００  一方向クラッチユニット
１０１  ハウジング
１０２  クラッチコイルばね
１０３  フランジ付きの軸部材
１１２、１１３  こじあけ用凹部
【図１】
0004653212.tif 000002
【図２】
0004653212.tif 000003
【図３】
0004653212.tif 000004
【図４】
0004653212.tif 000005
【図５】
0004653212.tif 000006
【図６】
0004653212.tif 000007
【図７】
0004653212.tif 000008
【図８】
0004653212.tif 000009
【図９】
0004653212.tif 000010